(57)【要約】【課題】螺旋状支持具の端末部を吊線に固定支持する支持機能と光ケーブル等を配線支持する配線支持機能が併せて得られるようにする。【解決手段】Ｕ字状に形成された支持リング部３と、その支持リング部３の一方の端部から内側へ向けて延長された第１の挟持体５と、他方の端部から内側へ向けて延長され前記第１の挟持体５と上下に対向し合う第２の挟持体７と、前記第１，第２の挟持体５，７に設けられ電柱２５間に掛け渡された吊線２７と吊線２７の上を斜めに横切る螺旋状支持具３５の端末部３５ａとを一緒に上下から挟持する挟持部３３，３７とで構成する。一方、前記支持リング部３の内側を、前記吊線２７の軸線方向Ｘに沿って配線される光ケーブル１１等のケーブル支持空間１３とし、ケーブル配線支持機能を持たせる。【選択図】図１
2007020254.tif 000002
【特許請求の範囲】
【請求項１】
Ｕ字状に形成された支持リング部と、その支持リング部の一方の端部から内側へ向けて延長された第１の挟持体と、他方の端部から内側へ向けて延長され前記第１の挟持体と上下に対向し合う第２の挟持体と、前記第１，第２の挟持体に設けられ電柱間に掛け渡された吊線と吊線の上を斜めに横切る螺旋状支持具の端末部とを一緒に上下から挟持する挟持部とから成り、前記支持リング部の内側は、前記吊線の軸線方向に沿って配線される光ケーブル等のケーブル支持空間となっていることを特徴とする螺旋状支持具の端末部支持金具。
【請求項２】
前記挟持部は、第１，第２の挟持体の中央部位に設けられていることを特徴とする請求項１記載の螺旋状支持具の端末部支持金具。
【請求項３】
前記第１，第２の挟持体の自由端側と基部側の２箇所に締結具が挿入される締結孔を設け、第１の挟持体に設けられた自由端側の締結孔と、第２の挟持体に設けられた自由端側の締結孔は、一方が軸線方向に沿って開放されると共に開放方向が１８０度異なる向きとなっていることを特徴とする請求項１記載の螺旋状支持具の端末部支持金具。
【発明の詳細な説明】
【技術分野】
【０００１】
本発明は、光ケーブル等を配線する螺旋に形成された螺旋状支持具の端末部を吊線に固定支持するための端末部支持金具に関する。
【背景技術】
【０００２】
近年、光ケーブル等の各種ケーブルはスパイラルハンガと呼ばれる螺旋状支持具の内部に配線支持されるようになっている。
【０００３】
螺旋状支持具は、螺旋の形状に作られ、軸方向から見た時にリング状の形状となるところから電柱と電柱の間に掛け渡された吊線に対して、端から順々に通していき、吊線に支持された状態で使用される。
【０００４】
螺旋状支持具の端末部は、電柱の近傍においてカットされ、カットされた端末部は例えば、ケーブル用スパイラルハンガーの支持線固定金具等の手段によって吊線に固定支持される。
【特許文献１】特許第３１８１８８３号公報
【発明の開示】
【発明が解決しようとする課題】
【０００５】
ケーブル用スパイラルハンガーの支持線固定金具によって吊線に固定支持された螺旋状支持具の内部には光ケーブル等が配線され、光ケーブル等が配線された電柱の領域では、その電柱を跨いで次の螺旋状支持具内へ向かう配線となる。
【０００６】
このため、螺旋状支持具の端末部を含めて、その端末部から電柱までの間と、その電柱を越えて次の螺旋状支持具の端末部までの間は構造的に螺旋状支持具のない状態となって、光ケーブル等が風の影響を受け易い宙ぶらりんの状態におかれる不安定な領域が作られる問題があった。
【０００７】
また、支持線固定金具のスパイラルハンガー用の係合溝は、支持線用の係合溝に対して一方向に固定された交叉となるため向きが特定され、例えば、右廻りの螺旋形状のものには使用できるが、左廻りの螺旋形状のものには使用できない不具合いをかかえる。
【０００８】
そこで、本発明は、吊線に対する螺旋状支持具の端末部の固定支持機能と光ケーブル等の配線支持機能が併せて得られると共に、右廻り、左廻りの螺旋形状にとらわれることなく使用できる螺旋状支持具の端末部支持金具を提供することを目的としている。
【課題を解決するための手段】
【０００９】
前記目的を達成するために、本発明にあっては、Ｕ字状に形成された支持リング部と、その支持リング部の一方の端部から内側へ向けて延長された第１の挟持体と、他方の端部から内側へ向けて延長され前記第１の挟持体と上下に対向し合う第２の挟持体と、前記第１，第２の挟持体に設けられ電柱間に掛け渡された吊線と吊線の上を斜めに横切る螺旋状支持具の端末部とを一緒に上下から挟持する挟持部とから成り、前記支持リング部の内側は、前記吊線の軸線方向に沿って配線される光ケーブル等のケーブル支持空間となっていることを特徴とする。
【発明の効果】
【００１０】
本発明によれば、第１，第２の挟持体によって吊線と螺旋状支持具の端末部とを一緒に上下から挟持することができる。この結果、螺旋状支持具の端末部を吊線に対して固定支持する固定支持機能と、支持リング部によって光ファイバの配線が行なえる配線支持機能が併せて得られるようになる。
【００１１】
また、両機能が得られる支持リング部と第１，第２の挟持体は、一体形状となっているため部品点数は一点で済むようになり、部品管理工数の面で大変好ましいものとなる。
【発明を実施するための最良の形態】
【００１２】
第１に、吊線と螺旋状支持具とを一緒にして上下から挟持する挟持部を、第１，第２の挟持体の中央部位に設けることで、吊線に対して螺旋状支持具の端末部が右斜めに横切る状態と左斜めに横切る状態とに支障なく上下に重ね合せることが可能となり、螺旋の向きに関係なく使用できるようにする。
【００１３】
第２に、前記第１，第２の挟持体の自由端側と基部側の２箇所に締結具が挿入される締結孔を設け、第１の挟持体に設けられた自由端側の締結孔と、第２の挟持体に設けられた自由端側の締結孔の一方を、軸線方向に開放し、その開放方向を１８０度異なる向きとすることで、締結孔に対する締結具の挿入作業が容易に行なえるようにする。
【実施例】
【００１４】
以下、図１乃至図７の図面を参照しながら本発明の実施形態について具体的に説明する。
【００１５】
図１は本発明にかかる螺旋状支持具の端末部支持金具の概要斜視図を示している。端末部支持金具１は、金属製の材質で作られていて、細い帯板材によりＵ字状に形成された支持リング部３と、その支持リング部３の両端となる一方の端部から内側（図１右側）へ向けて延長された第１の挟持体５と、他方の端部から内側（図１左側）へ向けて延長され、前記第１の挟持体５と上下に対向し合う第２の挟持体７とで構成され、部品点数が一点で済む一体に連続する形状となっている。支持リング部３の内部は後述する吊線９の軸線方向Ｘに沿って配線される光ケーブル１１等のケーブル支持空間１３となっている。
【００１６】
第１の挟持体５は、前記支持リング部３より広い幅の板材で形成され、基部側と自由端側とにボルト等の締結具１５が挿入される締結孔１７，１９がそれぞれ設けられている。自由端側に設けられた締結孔１９の一方（図１上方）は軸線方向Ｘに沿って開放している。
【００１７】
第１の挟持体５の中央部両側には、下向き円弧状の挟持溝２１に形成された一対の挟持部２３（反対側は図示していない）が設けられている。挟持部２３の挟持溝２１は図７に示すように電柱２５と電柱の（図示していない）の間に掛け渡された吊線２７に対して上方から作用するようになっている。
【００１８】
第２の挟持体７は、前記第１の挟持体５と同一幅の板材で形成され、基端部と自由端側とに前記締結孔１７，１９と対応する同一の締結孔１７，１９がそれぞれ設けられている。自由端側に設けられた締結孔１９の一方（図１下方）は軸線方向Ｘに沿って開放され、前記第１の挟持体５に設けられた締結孔１９の開放方向と１８０度向きが異なる方向となっている。
【００１９】
第２の挟持体７の中央部両側には上向きＶ字状の挟持溝２９に形成された一対の挟持部３１（反対側は図示していない）が設けられている。挟持部３１の挟持溝２９は第２の挟持体７の両側から全領域にわたって短く立上がる立上り壁７ａの中央部位に設けられ、前記した吊線２７に対して下から作用するようになっている。
【００２０】
したがって、上下に対向し合う挟持部２３，３１は、円弧状とＶ字状の各挟持溝２１，２９によって第１，第２の挟持体５，７の中央部両側で軸線方向Ｘに沿って配置される吊線２７を上下から挟持し、吊線２７に対して喰い込み勝手に作用する確実な固定支持状態が確保される吊線用の挟持部３３となっている。
【００２１】
また、第１，第２の挟持体５，７の中央部位は、前記吊線用の挟持部３３の外に、図６に示す螺旋状支持具３５の端末部３５ａを前記吊線２７と一緒に支持する螺旋状支持具用の挟持部３７となっている。
【００２２】
なお、図６に示す螺旋状支持具３５は左廻り螺旋部３５Ｌと右廻り螺旋部３５Ｒとが反転部３５Ｌ−Ｒ，３５Ｒ−Ｌを介して連続する形状となっているもので、所定の長さに切断して使用される。
【００２３】
螺旋状支持具の挟持部３７は、図４，図５に示すように吊線２７と、吊線２７の上を斜めに横切る螺旋状支持具３５の端末部３５ａを、立上り壁７ａのない上位側となる前記第１の挟持体５の下面５ａとによって挟持する構造となっている。したがって、第１，第２の挟持体５，７を締結具１５及びナット３９によって上下一体に閉じ合わせることで吊線２７及び螺旋状支持具３５の端末部３５ａとを上下に重ね合わせた状態で一緒に挟持状態を確保することが可能となる。
【００２４】
このように構成された螺旋状支持具３５の端末部支持金具１によれば、図４に示すように第１，第２の挟持体５，７の間に吊線２７を挟みつけた後、その吊線２７の上を斜めに横切るよう螺旋状支持具３５の端末部３５ａを重ね合せセットし、各締結孔１７，１９に締結具１５を挿入する。この時、自由端側の締結孔１９の一方が開放されているため、第１，第２の挟持体５，７が上下に正しく位置合せされていなくても容易に挿入できるようになる。締結具１５の挿入完了後、そのねじ部にナット３９を螺合させることで、吊線２７に対する螺旋状支持具３５の端末部３５ａの固定支持状態が得られる。
【００２５】
この場合、螺旋状支持具３５の端末部３５ａは、反転部３５Ｌ−Ｒ，３５Ｒ−Ｌを始めとして右廻り螺旋部３５Ｒ、左廻り螺旋部３５Ｌのいずれの場所で切断したとしても図４，図５に示すように吊線２７に対して実線で示すように右斜めに横切るように、あるいは鎖線で示すように左斜めに横切るように配置することが可能となり、螺旋の向きに関係なく確実に固定支持することが可能となる。
【００２６】
この結果、図７に示すように電柱２５を跨ぐ領域において光ケーブル１１等を確実に配線支持することができる。
【図面の簡単な説明】
【００２７】
【図１】本発明にかかる螺旋状支持具の端末部支持金具全体の概要斜視図。
【図２】端末部支持金具の正面図。
【図３】端末部支持金具の左側面図。
【図４】吊線に対して螺旋状支持具の端末部を端末部支持金具を介して取付ける状態を示した説明図。
【図５】取付け状態を示した図４の概要平面図。
【図６】螺旋状支持具の一部分の概要斜視図。
【図７】電柱近接部に螺旋状支持具の端末部を端末部支持金具を介して吊線に取付けた状態の概要説明図。
【符号の説明】
【００２８】
３…支持リング部
５…第１の挟持体
７…第２の挟持体
１１…光ケーブル
１５…締結具
１３…ケーブル支持空間
１７，１９…締結孔
２５…電柱
２７…吊線
３３…吊線用の挟持部
３５…螺旋状支持具
３５ａ…端末部
３７…螺旋状支持具用の挟持部
【図１】
2007020254.tif 000003
【図２】
2007020254.tif 000004
【図３】
2007020254.tif 000005
【図４】
2007020254.tif 000006
【図５】
2007020254.tif 000007
【図６】
2007020254.tif 000008
【図７】
2007020254.tif 000009